(57)【特許請求の範囲】
【請求項１】
コンテンツデータと、他の記録媒体への上記コンテンツデータのコピーを制御する市販用記録媒体用のコピー管理情報と、他の記録媒体への上記コンテンツデータのコピーを制御するレンタル用記録媒体用のコピー管理情報とを記録し、
その用途が上記コンテンツのデータ中の所定のデータ領域に記録されるようにしたことを特徴とするデータ記録媒体。
【請求項２】
上記所定のデータ領域は、ヘッダの領域である請求項１に記載のデータ記録媒体。
【請求項３】
コンテンツデータと、他の記録媒体への上記コンテンツデータのコピーを制御する市販用記録媒体用のコピー管理情報と、他の記録媒体への上記コンテンツデータのコピーを制御するレンタル用記録媒体用のコピー管理情報とを記録し、
その用途が予め設定された記録媒体中の所定の領域に記録されるようにしたことを特徴とするデータ記録媒体。
【請求項４】
上記所定の領域は、ディスクのリードインである請求項３に記載のデータ記録媒体。
【請求項５】
上記所定の領域は、ＴＯＣ（Table Of Contents）である請求項３に記載のデータ記録媒体。
【請求項６】
上記所定の領域は、ディスクの内周に設けられた小容量追加記録エリアである請求項３に記載のデータ記録媒体。
【請求項７】
コンテンツデータと、他の記録媒体への上記コンテンツデータのコピーを制御する市販用記録媒体用のコピー管理情報と、他の記録媒体への上記コンテンツデータのコピーを制御するレンタル用記録媒体用のコピー管理情報とを記録し、
その用途が記録媒体に対応したメモリ媒体に記録してあるようにしたことを特徴とするデータ記録媒体。
【請求項８】
コンテンツデータと、他の記録媒体への上記コンテンツデータのコピーを制御する市販用記録媒体用のコピー管理情報と、他の記録媒体への上記コンテンツデータのコピーを制御するレンタル用記録媒体用のコピー管理情報とを記録し、
その用途が上記コンテンツのデータ中の所定のデータ領域に記録され、および／または、予め設定された記録媒体中の所定の領域に記録され、および／または、記録媒体に対応したメモリ媒体に記録してあるようにしたことを特徴とするデータ記録媒体。
【請求項９】
コンテンツデータと、他の記録媒体への上記コンテンツデータのコピーを制御する市販用記録媒体用のコピー管理情報と、他の記録媒体への上記コンテンツデータのコピーを制御するレンタル用記録媒体用のコピー管理情報とを記録し、
その用途が上記コンテンツのデータ中の所定のデータ領域に記録されるようにしたことを特徴とするデータ記録方法。
【請求項１０】
上記所定のデータ領域は、ヘッダの領域である請求項９に記載のデータ記録方法。
【請求項１１】
コンテンツデータと、他の記録媒体への上記コンテンツデータのコピーを制御する市販用記録媒体用のコピー管理情報と、他の記録媒体への上記コンテンツデータのコピーを制御するレンタル用記録媒体用のコピー管理情報とを記録し、
その用途が予め設定された記録媒体中の所定の領域に記録されるようにしたことを特徴とするデータ記録方法。
【請求項１２】
上記所定の領域は、ディスクのリードインである請求項１１に記載のデータ記録方法。
【請求項１３】
上記所定の領域は、ＴＯＣ（Table Of Contents）である請求項１１に記載のデータ記録方法。
【請求項１４】
上記所定の領域は、ディスクの内周に設けられた小容量追加記録エリアである請求項１１に記載のデータ記録方法。
【請求項１５】
コンテンツデータと、他の記録媒体への上記コンテンツデータのコピーを制御する市販用記録媒体用のコピー管理情報と、他の記録媒体への上記コンテンツデータのコピーを制御するレンタル用記録媒体用のコピー管理情報とを記録し、
その用途が記録媒体に対応したメモリ媒体に記録してあるようにしたことを特徴とするデータ記録方法。
【請求項１６】
コンテンツデータと、他の記録媒体への上記コンテンツデータのコピーを制御する市販用記録媒体用のコピー管理情報と、他の記録媒体への上記コンテンツデータのコピーを制御するレンタル用記録媒体用のコピー管理情報とを記録し、
その用途が上記コンテンツのデータ中の所定のデータ領域に記録され、および／または、予め設定された記録媒体中の所定の領域に記録され、および／または、記録媒体に対応したメモリ媒体に記録してあるようにしたことを特徴とするデータ記録方法。
【請求項１７】
コンテンツのデータを記録媒体に記録する手段と、
他の記録媒体への上記コンテンツデータのコピーを制御する市販用記録媒体用のコピー管理情報と、他の記録媒体への上記コンテンツデータのコピーを制御するレンタル用記録媒体用のコピー管理情報とを記録する手段とを備え、
その用途が上記コンテンツのデータ中の所定のデータ領域に記録されるようにしたことを特徴とするデータ記録装置。
【請求項１８】
上記所定のデータ領域は、ヘッダの領域である請求項１７に記載のデータ記録装置。
【請求項１９】
コンテンツのデータを記録媒体に記録する手段と、
他の記録媒体への上記コンテンツデータのコピーを制御する市販用記録媒体用のコピー管理情報と、他の記録媒体への上記コンテンツデータのコピーを制御するレンタル用記録媒体用のコピー管理情報とを記録する手段とを備え、
その用途が予め設定された記録媒体中の所定の領域に記録されるようにしたことを特徴とするデータ記録装置。
【請求項２０】
上記所定の領域は、ディスクのリードインである請求項１９に記載のデータ記録装置。
【請求項２１】
上記所定の領域は、ＴＯＣ（Table Of Contents）である請求項１９に記載のデータ記録装置。
【請求項２２】
上記所定の領域は、ディスクの内周に設けられた小容量追加記録エリアである請求項１９に記載のデータ記録装置。
【請求項２３】
コンテンツのデータを記録媒体に記録する手段と、
他の記録媒体への上記コンテンツデータのコピーを制御する市販用記録媒体用のコピー管理情報と、他の記録媒体への上記コンテンツデータのコピーを制御するレンタル用記録媒体用のコピー管理情報とを記録する手段とを備え、
その用途が記録媒体に対応したメモリ媒体に記録してあるようにしたことを特徴とするデータ記録装置。
【請求項２４】
コンテンツのデータを記録媒体に記録する手段と、
他の記録媒体への上記コンテンツデータのコピーを制御する市販用記録媒体用のコピー管理情報と、他の記録媒体への上記コンテンツデータのコピーを制御するレンタル用記録媒体用のコピー管理情報とを記録する手段とを備え、
その用途が上記コンテンツのデータ中の所定のデータ領域に記録され、および／または、予め設定された記録媒体中の所定の領域に記録され、および／または、記録媒体に対応したメモリ媒体に記録してあるようにしたことを特徴とするデータ記録装置。
【請求項２５】
コンテンツデータと、他の記録媒体への上記コンテンツデータのコピーを制御する市販用記録媒体用のコピー管理情報と、他の記録媒体への上記コンテンツデータのコピーを制御するレンタル用記録媒体用のコピー管理情報が記録されたデータ記録媒体を再生するデータ再生方法であって、
上記記録媒体の用途を判別し、
上記記録媒体に記録されている上記市販用記録媒体用およびレンタル用記録媒体用のコピー管理情報の中から、上記判別された用途に対応するコピー管理情報を判断し、
上記用途に対応するコピー管理情報に従って動作制御を行うようにし、
その用途は、上記コンテンツのデータ中の所定のデータ領域に記録されるようにしたことを特徴とするデータ再生方法。
【請求項２６】
上記所定のデータ領域は、ヘッダの領域である請求項２５に記載のデータ再生方法。
【請求項２７】
コンテンツデータと、他の記録媒体への上記コンテンツデータのコピーを制御する市販用記録媒体用のコピー管理情報と、他の記録媒体への上記コンテンツデータのコピーを制御するレンタル用記録媒体用のコピー管理情報が記録されたデータ記録媒体を再生するデータ再生方法であって、
上記記録媒体の用途を判別し、
上記記録媒体に記録されている上記市販用記録媒体用およびレンタル用記録媒体用のコピー管理情報の中から、上記判別された用途に対応するコピー管理情報を判断し、
上記用途に対応するコピー管理情報に従って動作制御を行うようにし、
その用途は、予め設定された記録媒体中の所定の領域に記録されるようにしたことを特徴とするデータ再生方法。
【請求項２８】
上記所定の領域は、ディスクのリードインである請求項２７に記載のデータ再生方法。
【請求項２９】
上記所定の領域は、ＴＯＣ（Table Of Contents）である請求項２７に記載のデータ再生方法。
【請求項３０】
上記所定の領域は、ディスクの内周に設けられた小容量追加記録エリアである請求項２７に記載のデータ再生方法。
【請求項３１】
コンテンツデータと、他の記録媒体への上記コンテンツデータのコピーを制御する市販用記録媒体用のコピー管理情報と、他の記録媒体への上記コンテンツデータのコピーを制御するレンタル用記録媒体用のコピー管理情報が記録されたデータ記録媒体を再生するデータ再生方法であって、
上記記録媒体の用途を判別し、
上記記録媒体に記録されている上記市販用記録媒体用およびレンタル用記録媒体用のコピー管理情報の中から、上記判別された用途に対応するコピー管理情報を判断し、
上記用途に対応するコピー管理情報に従って動作制御を行うようにし、
その用途は、記録媒体に対応したメモリ媒体に記録してあるようにしたことを特徴とするデータ再生方法。
【請求項３２】
コンテンツデータと、他の記録媒体への上記コンテンツデータのコピーを制御する市販用記録媒体用のコピー管理情報と、他の記録媒体への上記コンテンツデータのコピーを制御するレンタル用記録媒体用のコピー管理情報が記録されたデータ記録媒体を再生するデータ再生方法であって、
上記記録媒体の用途を判別し、
上記記録媒体に記録されている上記市販用記録媒体用およびレンタル用記録媒体用のコピー管理情報の中から、上記判別された用途に対応するコピー管理情報を判断し、
上記用途に対応するコピー管理情報に従って動作制御を行うようにし、
その用途は、上記コンテンツのデータ中の所定のデータ領域に記録し、および／または、予め設定された記録媒体中の所定の領域に記録し、および／または、記録媒体に対応したメモリ媒体に記録してあるようにしたことを特徴とするデータ再生方法。
【請求項３３】
上記コンテンツのデータ中の所定のデータ領域に記録される上記記録媒体の用途、および／または、予め設定された記録媒体中の所定領域に記録される上記記録媒体の用途、および／または、記録媒体に対応したメモリ媒体に記録される上記記録媒体の用途の全て、またはこれらのうちの一部の上記記録媒体の用途に基づいて判断を行うようにした請求項３２に記載のデータ再生方法。
【請求項３４】
コンテンツデータと、他の記録媒体への上記コンテンツデータのコピーを制御する市販用記録媒体用のコピー管理情報と、他の記録媒体への上記コンテンツデータのコピーを制御するレンタル用記録媒体用のコピー管理情報が記録されたデータ記録媒体を再生するデータ再生装置であって、
上記記録媒体の用途を判別する手段と、
上記記録媒体に記録されている上記市販用記録媒体用およびレンタル用記録媒体用のコピー管理情報の中から、上記判別された用途に対応するコピー管理情報を判断し、
上記用途に対応するコピー管理情報に従って動作制御を行う手段とを備え、
その用途は、上記コンテンツのデータ中の所定のデータ領域に記録されるようにしたことを特徴とするデータ再生装置。
【請求項３５】
上記所定のデータ領域は、ヘッダの領域である請求項３４に記載のデータ再生装置。
【請求項３６】
コンテンツデータと、他の記録媒体への上記コンテンツデータのコピーを制御する市販用記録媒体用のコピー管理情報と、他の記録媒体への上記コンテンツデータのコピーを制御するレンタル用記録媒体用のコピー管理情報が記録されたデータ記録媒体を再生するデータ再生装置であって、
上記記録媒体の用途を判別する手段と、
上記記録媒体に記録されている上記市販用記録媒体用およびレンタル用記録媒体用のコピー管理情報の中から、上記判別された用途に対応するコピー管理情報を判断し、
上記用途に対応するコピー管理情報に従って動作制御を行う手段とを備え、
その用途は、予め設定された記録媒体中の所定の領域に記録されるようにしたことを特徴とするデータ再生装置。
【請求項３７】
上記所定の領域は、ディスクのリードインである請求項３６に記載のデータ再生装置。
【請求項３８】
上記所定の領域は、ＴＯＣ（Table Of Contents）である請求項３６に記載のデータ再生装置。
【請求項３９】
上記所定の領域は、ディスクの内周に設けられた小容量追加記録エリアである請求項３６に記載のデータ再生装置。
【請求項４０】
コンテンツデータと、他の記録媒体への上記コンテンツデータのコピーを制御する市販用記録媒体用のコピー管理情報と、他の記録媒体への上記コンテンツデータのコピーを制御するレンタル用記録媒体用のコピー管理情報が記録されたデータ記録媒体を再生するデータ再生装置であって、
上記記録媒体の用途を判別する手段と、
上記記録媒体に記録されている上記市販用記録媒体用およびレンタル用記録媒体用のコピー管理情報の中から、上記判別された用途に対応するコピー管理情報を判断し、
上記用途に対応するコピー管理情報に従って動作制御を行う手段とを備え、
その用途は、記録媒体に対応したメモリ媒体に記録してあるようにしたことを特徴とするデータ再生装置。
【請求項４１】
コンテンツデータと、他の記録媒体への上記コンテンツデータのコピーを制御する市販用記録媒体用のコピー管理情報と、他の記録媒体への上記コンテンツデータのコピーを制御するレンタル用記録媒体用のコピー管理情報が記録されたデータ記録媒体を再生するデータ再生装置であって、
上記記録媒体の用途を判別する手段と、
上記記録媒体に記録されている上記市販用記録媒体用およびレンタル用記録媒体用のコピー管理情報の中から、上記判別された用途に対応するコピー管理情報を判断し、
上記用途に対応するコピー管理情報に従って動作制御を行う手段とを備え、
その用途は、上記コンテンツのデータ中の所定のデータ領域に記録し、および／または、予め設定された記録媒体中の所定の領域に記録し、および／または、記録媒体に対応したメモリ媒体に記録してあるようにしたことを特徴とするデータ再生装置。
【請求項４２】
上記コンテンツのデータ中の所定のデータ領域に記録される上記記録媒体の用途、および／または、予め設定された記録媒体中の所定領域に記録される上記記録媒体の用途、および／または、記録媒体に対応したメモリ媒体に記録される上記記録媒体の用途の全て、またはこれらのうちの一部の上記記録媒体の用途に基づいて判断を行うようにした請求項４１に記載のデータ再生装置。
【請求項４３】
コンテンツデータと、他の記録媒体への上記コンテンツデータのコピーを制御する市販用記録媒体用のコピー管理情報と、他の記録媒体への上記コンテンツデータのコピーを制御するレンタル用記録媒体用のコピー管理情報が記録されたデータ記録媒体から上記コンテンツのデータを再生し、上記再生されたコンテンツのデータを他の記録媒体に記録する際に、
記録媒体の用途を判別し、
上記記録媒体に記録されている上記市販用記録媒体用およびレンタル用記録媒体用のコピー管理情報の中から、上記判別された用途に対応するコピー管理情報を判断し、
上記用途に対応するコピー管理情報に従って動作制御を行い、
その用途は、上記コンテンツのデータ中の所定のデータ領域に記録し、および／または、予め設定された記録媒体中の所定の領域に記録し、および／または、記録媒体に対応したメモリ媒体に記録してあるようにしたことを特徴とするデータ記録再生方法。
【請求項４４】
上記コンテンツのデータ中の所定のデータ領域に記録される上記記録媒体の用途、および／または、予め設定された記録媒体中の所定領域に記録される上記記録媒体の用途、および／または、記録媒体に対応したメモリ媒体に記録される上記記録媒体の用途の全て、またはこれらのうちの一部の上記記録媒体の用途に基づいて判断を行うようにした請求項４３に記載のデータ記録再生方法。
【請求項４５】
コンテンツデータと、他の記録媒体への上記コンテンツデータのコピーを制御する市販用記録媒体用のコピー管理情報と、他の記録媒体への上記コンテンツデータのコピーを制御するレンタル用記録媒体用のコピー管理情報が記録されたデータ記録媒体から上記コンテンツのデータを再生し、上記再生されたコンテンツのデータを他の記録媒体に記録するようにしたデータ記録再生装置であって、
記録媒体の用途を判別する手段と、
上記記録媒体に記録されている上記市販用記録媒体用およびレンタル用記録媒体用のコピー管理情報の中から、上記判別された用途に対応するコピー管理情報を判断し、上記用途に対応するコピー管理情報に従って動作制御を行う手段と、
上記再生されたコンテンツのデータを、上記コピー管理情報に基づいて制御して、上記他の記録媒体に記録する手段とを備え、
その用途は、上記コンテンツのデータ中の所定のデータ領域に記録し、および／または、予め設定された記録媒体中の所定の領域に記録し、および／または、記録媒体に対応したメモリ媒体に記録してあるようにしたことを特徴とするデータ記録再生装置。
【請求項４６】
上記コンテンツのデータ中の所定のデータ領域に記録される上記記録媒体の用途、および／または、予め設定された記録媒体中の所定領域に記録される上記記録媒体の用途、および／または、記録媒体に対応したメモリ媒体に記録される上記記録媒体の用途の全て、またはこれらのうちの一部の上記記録媒体の用途に基づいて判断を行うようにした請求項４５に記載のデータ記録再生装置。
【発明の詳細な説明】
【０００１】
【発明の属する技術分野】
この発明は、コンテンツのデータを記録したデータ記録媒体、データ記録方法および装置、データ再生方法および装置、データ記録再生方法および装置に関するもので、特に、多用途のコンテンツのデータ保護に係わる。
【０００２】
【従来の技術】
オーディオコンテンツやビデオコンテンツのデータを記録媒体に記録する際に、著作権の保護を目的として、付加情報としてコピー管理情報をコンテンツのデータに重畳して埋め込むようにしたウォータマークの開発が進められている。このようなウォータマークとしては、スペクトラム拡散を用いて付加情報のスペクトラムを分散させてコンテンツのデータに重畳する方法、信号の下位ビットや圧縮時の高次係数に付加情報を挿入する方法、マスキング効果を利用してコンテンツに影響が生じないように付加情報を挿入する方法、所定範囲の第１のピーク若しくは第２のピークまたはその近傍に挿入する方法等が知られている。
【０００３】
著作権の保護のためのコピー管理情報としては、音楽コンテンツでは、ＳＣＭＳ（Serial Copy Management System）が用いられている。また、ビデオコンテンツでは、ＣＧＭＳ（Copy Generation Management System）が用いられている。ＳＣＭＳとＣＧＭＳとの最大の違いは、ＣＧＭＳでは、オリジナルコンテンツからのコピー禁止が設定できることにあり、私的な複製を拒否できることである。
【０００４】
ＳＣＭＳのコピー管理情報は、図８に示すように、２ビットの情報を使ってコピーが管理されている。このＳＣＭＳのコピー管理情報は、コピーフリー、コピー禁止ばかりでなく、一世代コピー可というような、世代に渡るコピー管理が行える。
【０００５】
すなわち、図８に示すように、ＳＣＭＳのコピー管理情報では、２ビットの情報を使ってコピーが管理される。ＳＣＭＳが（０，０）ならコピーフリー、（０，１）なら１世代コピー可、（１，１）なら、コピー禁止である。ＳＣＭＳが（１，０）の場合は、リザーブである。
【０００６】
【発明が解決しようとする課題】
著作権の保護を目的として、一般市販用の記録媒体のコンテンツにコピー管理情報をウォータマークとして挿入する事が考えられている。このコピー管理情報として、ＳＣＭＳのコピー管理情報を用いることが考えられる。ＳＣＭＳのコピー管理情報では、コピーフリー、コピー禁止ばかりでなく、世代に渡るコピー管理が行える。
【０００７】
ところが、コンテンツの記録媒体は一般市販用のみではなく、いろいろな用途がある。例えば、レンタル用に使う事が考えられる。その他、放送用等特殊な用途、カラオケ等々である。一般にこれらの用途には、コピー管理の内容が一般市販用とは異なると考えられる。
【０００８】
従来は、これらの用途に対して別々の記録媒体が用意されるか、コピー管理の内容を無視する形で市販用と同一の記録媒体が用いられてきた。これは従来は、再生専用の記録媒体が市販用の記録媒体に用いられる場合は、コピー管理の内容が変更できなかった事による。
【０００９】
したがって、この発明の目的は複数用途のコピー管理を簡単に行えるようにしたデータ記録媒体、データ記録方法および装置、データ再生方法および装置、データ記録再生方法および装置を提供することにある。
【００１０】
【課題を解決するための手段】
請求項１に記載の発明は、コンテンツデータと、他の記録媒体へのコンテンツデータのコピーを制御する市販用記録媒体用のコピー管理情報と、他の記録媒体へのコンテンツデータのコピーを制御するレンタル用記録媒体用のコピー管理情報とを記録し、その用途がコンテンツのデータ中の所定のデータ領域に記録されるようにしたことを特徴とするデータ記録媒体である。
【００１１】
請求項９に記載の発明は、コンテンツデータと、他の記録媒体へのコンテンツデータのコピーを制御する市販用記録媒体用のコピー管理情報と、他の記録媒体へのコンテンツデータのコピーを制御するレンタル用記録媒体用のコピー管理情報とを記録し、その用途がコンテンツのデータ中の所定のデータ領域に記録されるようにしたことを特徴とするデータ記録方法である。
【００１２】
請求項１７に記載の発明は、コンテンツのデータを記録媒体に記録する手段と、他の記録媒体へのコンテンツデータのコピーを制御する市販用記録媒体用のコピー管理情報と、他の記録媒体へのコンテンツデータのコピーを制御するレンタル用記録媒体用のコピー管理情報とを記録する手段とを備え、その用途がコンテンツのデータ中の所定のデータ領域に記録されるようにしたことを特徴とするデータ記録装置である。
【００１３】
請求項２５に記載の発明は、コンテンツデータと、他の記録媒体へのコンテンツデータのコピーを制御する市販用記録媒体用のコピー管理情報と、他の記録媒体へのコンテンツデータのコピーを制御するレンタル用記録媒体用のコピー管理情報が記録されたデータ記録媒体を再生するデータ再生方法であって、記録媒体の用途を判別し、記録媒体に記録されている市販用記録媒体用およびレンタル用記録媒体用のコピー管理情報の中から、判別された用途に対応するコピー管理情報を判断し、用途に対応するコピー管理情報に従って動作制御を行うようにし、その用途は、コンテンツのデータ中の所定のデータ領域に記録されるようにしたことを特徴とするデータ再生方法である。
【００１４】
請求項３４に記載の発明は、コンテンツデータと、他の記録媒体へのコンテンツデータのコピーを制御する市販用記録媒体用のコピー管理情報と、他の記録媒体へのコンテンツデータのコピーを制御するレンタル用記録媒体用のコピー管理情報が記録されたデータ記録媒体を再生するデータ再生装置であって、記録媒体の用途を判別する手段と、記録媒体に記録されている市販用記録媒体用およびレンタル用記録媒体用のコピー管理情報の中から、判別された用途に対応するコピー管理情報を判断し、用途に対応するコピー管理情報に従って動作制御を行う手段とを備え、その用途は、コンテンツのデータ中の所定のデータ領域に記録されるようにしたことを特徴とするデータ再生装置である。
【００１５】
請求項４３に記載の発明は、コンテンツデータと、他の記録媒体へのコンテンツデータのコピーを制御する市販用記録媒体用のコピー管理情報と、他の記録媒体へのコンテンツデータのコピーを制御するレンタル用記録媒体用のコピー管理情報が記録されたデータ記録媒体からコンテンツのデータを再生し、再生されたコンテンツのデータを他の記録媒体に記録する際に、記録媒体の用途を判別し、記録媒体に記録されている市販用記録媒体用およびレンタル用記録媒体用のコピー管理情報の中から、判別された用途に対応するコピー管理情報を判断し、用途に対応するコピー管理情報に従って動作制御を行い、その用途は、コンテンツのデータ中の所定のデータ領域に記録し、および／または、予め設定された記録媒体中の所定の領域に記録し、および／または、記録媒体に対応したメモリ媒体に記録してあるようにしたことを特徴とするデータ記録再生方法である。
【００１６】
請求項４５に記載の発明は、コンテンツデータと、他の記録媒体へのコンテンツデータのコピーを制御する市販用記録媒体用のコピー管理情報と、他の記録媒体へのコンテンツデータのコピーを制御するレンタル用記録媒体用のコピー管理情報が記録されたデータ記録媒体からコンテンツのデータを再生し、再生されたコンテンツのデータを他の記録媒体に記録するようにしたデータ記録再生装置であって、記録媒体の用途を判別する手段と、記録媒体に記録されている市販用記録媒体用およびレンタル用記録媒体用のコピー管理情報の中から、判別された用途に対応するコピー管理情報を判断し、用途に対応するコピー管理情報に従って動作制御を行う手段と、再生されたコンテンツのデータを、コピー管理情報に基づいて制御して、他の記録媒体に記録する手段とを備え、その用途は、コンテンツのデータ中の所定のデータ領域に記録し、および／または、予め設定された記録媒体中の所定の領域に記録し、および／または、記録媒体に対応したメモリ媒体に記録してあるようにしたことを特徴とするデータ記録再生装置である。
【００２２】
記録媒体に、市販用の記録媒体用のコピー管理情報ＳＣＭＳ−Ｎと、レンタル用の記録媒体用のコピー管理情報ＳＣＭＳ−Ｒとを同時に記録しておき、再生される用途が市販用なら、市販用の記録媒体用のコピー管理情報ＳＣＭＳ−Ｎに応じてコピー制御が行われ、再生される用途がレンタル用なら、レンタル用の記録媒体用のコピー管理情報ＳＣＭＳ−Ｒに応じてコピー制御が行われる。
【００２３】
多くのコンテンツは、通常、ＣＤやＣＤ−ＲＯＭのように、市販用の記録媒体でコンテンツのデータが配布されている。一方、記録媒体はレンタル用としても貸与され、そのコピー管理情報は市販用のコピー管理情報とは一般に異なる。
【００２４】
オリジナルの記録媒体に、市販用の記録媒体用のコピー管理情報ＳＣＭＳ−Ｎとして（０，１）が記録され、レンタル用の記録媒体用のコピー管理情報ＳＣＭＳ−Ｒとして（１，１）が記録されている場合には、市販用のオリジナルの記録媒体からの最初の世代のコピーは、市販用の記録媒体用のコピー管理情報ＳＣＭＳ−Ｎが（０，１）なので、コピー可ということになる。オリジナルの記録媒体がレンタル用の記録媒体の場合のコピーは、レンタル用の記録媒体用のコピー管理情報ＳＣＭＳ−Ｒとして（１，１）はコピー禁止なので、コピー禁止となる。このように、記録媒体の用途に応じてコピーの制御が行える。また、１世代コピー可の制御を行う際にはコピーに際して、通常、管理情報の（０，１）から（１，１）への書き換えが行われる。
【００２５】
【発明の実施の形態】
以下、この発明の実施形態について図面を参照して説明する。この実施形態は、記録媒体の用途毎の複数のコピー管理情報を用意しておき、この記録媒体の用途毎の複数のコピー管理情報を１つの記録媒体に同時に記録しておき、記録媒体の用途に対応するコピー管理情報を使って、コピー制御を行うようにしている。
【００２６】
つまり、記録媒体としては、ＣＤ（Compact Disc）やＣＤ−ＲＯＭ（Compact Disc Read Only Memory）のような読み出し専用の記録媒体と、ＣＤ−Ｒ（Compact Disc Recordable）やＣＤ−ＲＷ（Compact Disc Rewritable）のような記録可能な記録媒体とが使われており、共に市販用およびレンタル用に用いられる。このような記録媒体の用途に対応して、市販用の記録媒体用のコピー管理情報ＳＣＭＳ−Ｎと、レンタル用の記録媒体用のコピー管理情報ＳＣＭＳ−Ｒの２つのコピー管理情報が用意される。
【００２７】
また、コピー管理情報ＳＣＭＳ−ＮおよびＳＣＭＳ−Ｒの記録方法としては、以下のものが考えられる。
【００２８】
（１）ウォータマークの付加情報として、スペクトラム拡散で重畳したり、下位ビットに挿入したり、コンテンツのデータを圧縮したときの高次係数に挿入したり、マスキング効果を利用してコンテンツに現れないようにしたり、所定範囲の第１のピーク若しくは第２のピーク、またはその近傍に挿入するようにして記録する。
（２）サブコードやヘッダ等、所定のデータ領域に記録する。
（３）リードインやＴＯＣ（Table Of Contents）等、記録媒体の物理的な所定の領域に記録する。
【００２９】
これら中の１つにコピー管理情報ＳＣＭＳ−ＮおよびＳＣＭＳ−Ｒを記録しても良いし、これらの全てにコピー管理情報ＳＣＭＳ−ＮおよびＳＣＭＳ−Ｒを記録しても良いし、勿論、これらの中のいくつかに、コピー管理情報ＳＣＭＳ−ＮおよびＳＣＭＳ−Ｒを記録しても良い。
【００３０】
ＣＤやＣＤ−ＲＯＭのような記録媒体では、原盤を基に、配布、販売されるディスクがスタンパにより大量生産される。この原盤の作成方法や、ＣＤおよびＣＤ−ＲＯＭの作成方法については、周知の方法と同様である。
【００３１】
つまり、図１は、原盤を作成する場合の記録装置の構成を示すものである。図１に示すように、原盤作成時には、入力端子１にコンテンツのデータが供給され、入力端子２および３に、コピー管理情報ＳＣＭＳ−ＮおよびＳＣＭＳ−Ｒが供給される。入力端子１からのコンテンツのデータは、加算器１２を介してエンコーダ４に供給され、エラー訂正符号化される。
【００３２】
また、入力端子３からのコピー管理情報ＳＣＭＳ−ＮおよびＳＣＭＳ−Ｒは、ウォータマーク発生回路７に供給される。ウォータマーク発生回路７で、ウォータマークの付加情報中に、コピー管理情報ＳＣＭＳ−ＮおよびＳＣＭＳ−Ｒが含められる。このウォータマーク発生回路７の出力が加算器１２において、入力端子１からのコンテンツのデータ中に重畳される。
【００３３】
また、入力端子２からのコピー管理情報ＳＣＭＳ−ＮおよびＳＣＭＳ−Ｒは、サブコードエンコーダ６に供給される。サブコードエンコーダ６で、サブコードデータ中に、コピー管理情報ＳＣＭＳ−ＮおよびＳＣＭＳ−Ｒが含められる。このサブコードデータは、変調回路５に供給される。
【００３４】
変調回路５の出力は、ＲＦアンプ８を介して、光学ピックアップ９に供給される。光学ピックアップ９により、記録媒体としてのディスク１０に、コンテンツのデータが記録される。また、このデータ中には、コピー管理情報ＳＣＭＳ−ＮおよびＳＣＭＳ−Ｒが含められたウォータマークの情報が重畳される。サブコードのデータ中には、コピー管理情報ＳＣＭＳ−ＮおよびＳＣＭＳ−Ｒが含められる。なお、コンテンツのデータを記録する光学ピックアップ９およびディスク１０を回転させるスピンドルモータ１１は、サーボ回路１３によって制御される。
【００３５】
販売、配布されるディスクは、このようにして作成された原盤を基に、スタンパにより大量生産される。
【００３６】
このように、２つのコピー管理情報ＳＣＭＳ−ＮおよびＳＣＭＳ−Ｒは、１つの記録媒体に同時に記録される。そして、記録媒体を再生するときに、２つのコピー管理情報ＳＣＭＳ−ＮおよびＳＣＭＳ−Ｒの中から、その記録媒体の用途に対応するコピー管理情報が選ばれ、この選ばれたコピー管理情報に従って、コピー制御が行われる。
【００３７】
なお、コピー管理情報ＳＣＭＳ−ＮおよびＳＣＭＳ−Ｒとしては、図７に示すように、ＳＣＭＳのコピー管理情報と同様に、２ビットの情報を使ってコピーが管理される。つまり、コピー管理情報ＳＣＭＳ−ＮおよびＳＣＭＳ−Ｒが（０，０）ならコピーフリー、（０，１）なら１世代コピー可、（１，１）なら、コピー禁止である。
【００３８】
多くのコンテンツは、通常、ＣＤやＣＤ−ＲＯＭのように、読み出し専用の記録媒体でコンテンツのデータが配布されている。
【００３９】
この発明の実施形態では、オリジナルのコンテンツのデータは主として読み出し専用の記録媒体で配布されていることを前提にし、その読み出し専用の記録媒体上に追加する形で、その記録媒体の用途が記録されているとするが、記録媒体が記録可能な記録媒体でも、説明のあらすじは同様である。
【００４０】
読み出し専用の記録媒体上に、比較的少容量の記録部分を持たせる事は、例えば使用される光の波長で書き込み可能な物質を光ディスクの最内周に塗布し、そこに書き込みを行う事により達成される。また、光ディスクの反射膜に光で直接変形を起こさせるように書き込む方法などが知られている。
【００４１】
同じような方法は記録可能な記録媒体でも用いられるが、ＣＤ−Ｒなどの一回書き込みのみが可能な記録媒体では、最内周の通常のデータ領域をそのまま転用することも行われる。
【００４２】
追加で書き込むデータは、勿論直接用途を示すデータでも良いが、最内周の書き込みエリアにはユニークメディアＩＤとして数十ビットから数百ビットの番号が記録されることが多い。このユニークメディアＩＤは、そのディスクを個別に識別するために通常用いられるが、例えば、図２に示すように、この番号のある範囲を、例えば市販用、例えばレンタル用として決めておいても良い。図２の例では、全体の長さは１２８ビットであり、先頭の４ビットで用途を示し、一例として先頭の４ビットが（００００）から（１１０１）までは一般市販用であり、（１１１０）はレンタル用である。この先頭の４ビットで示す範囲の番号を書き込む事により市販用またはレンタル用と識別するわけである。
【００４３】
この実施形態では、主として上述したような、記録媒体上に記録媒体の用途を記録する一例を説明するが、個々の記録媒体を識別する、例えばユニークメディアＩＤがある場合、このユニークメディアＩＤを使ってこの記録媒体と対応させた外部記録媒体、例えばメモリーカード（メモリ媒体）を用いて、個々の記録媒体の用途を再生装置に送ることができる。これは、例えばメモリーカード中に、ユニークメディアＩＤを記録し、それと対応する用途として例えば一般市販用とする事により実現できる。
【００４４】
図３は、読み出し専用の記録媒体上の市販用の記録媒体用のコピー管理情報ＳＣＭＳ−Ｎと、レンタル用の記録媒体用のコピー管理情報ＳＣＭＳ−Ｒとの２つのコピー管理情報を使って、コンテンツのデータのコピーを行った場合のコピー制御を示すものである。なお、図３において、ハッチングのない記録媒体はオリジナルの読み出し専用の記録媒体であり、ハッチングの施された記録媒体はコピーを作るための書き込み可能な記録媒体である。
【００４５】
図３において、先ず、オリジナルの記録媒体２１Ａを複製する場合について説明する。市販用のオリジナルの記録媒体２１Ａは、ＣＤやＣＤ−ＲＯＭのような読み出し専用の記録媒体であり、このオリジナルの記録媒体２１Ａには、市販用の記録媒体用のコピー管理情報ＳＣＭＳ−Ｎとして（０，０）が記録され、レンタル用の記録媒体用のＳＣＭＳのコピー管理情報ＳＣＭＳ−Ｒとして（１，１）が記録されている。そして最内周に用途として、市販用途情報が記録されている。
【００４６】
このような記録媒体２１Ａの情報を記録媒体２１Ｂにコピーし、記録媒体２１Ａの１世代目の複製を作成するものとする。記録媒体２１Ｂは、ＣＤ−ＲやＣＤ−ＲＷのような記録可能な記録媒体である。
【００４７】
記録媒体２１Ａから記録媒体２１Ｂに情報をコピーする際には、記録媒体２１Ａが再生され、記録媒体２１Ａのコピー管理情報がチェックされる。コピー管理情報としては、市販用の記録媒体用のコピー管理情報ＳＣＭＳ−Ｎと、レンタル用の記録媒体用のコピー管理情報ＳＣＭＳ−Ｒとの２つのコピー管理情報があるが、オリジナルの記録媒体２１Ａは最内周の情報から市販用の記録媒体であるから、市販用の記録媒体用のコピー管理情報ＳＣＭＳ−Ｎがチェックされる。市販用の記録媒体用のコピー管理情報ＳＣＭＳ−Ｎは（０，０）であり、コピーが許可されている。このため、記録媒体２１Ａから記録媒体２１Ｂに情報がコピーできる。したがって、記録媒体２１Ａの情報が記録媒体２１Ｂにコピーされ、記録媒体２１Ｂに、オリジナルの記録媒体２１Ａの１世代目の複製が作成される。
【００４８】
この１世代目の複製にあたる記録媒体２１Ｂには、オリジナルの記録媒体２１Ａに記録されていた市販用の記録媒体用のコピー管理情報ＳＣＭＳ−Ｎおよびレンタル用の記録媒体用のコピー管理情報ＳＣＭＳ−Ｒがそのまま記録される。したがって、１世代目の複製の記録媒体２１Ｂには、市販用の記録媒体用のコピー管理情報ＳＣＭＳ−Ｎとして（０，０）が記録され、レンタル用の記録媒体用のコピー管理情報ＳＣＭＳ−Ｒとして（１，１）が記録される。
【００４９】
記録媒体の用途もコピーされ、記録可能な記録媒体であるからリードインエリアやＴＯＣなど特定のエリアに記録することもできるし、記録可能な記録媒体用の最内周の小容量の追加記録エリアにオリジナルと同じように記録する事もできる。
【００５０】
そして、記録媒体２１Ｂの情報を記録媒体２１Ｃにコピーし、記録媒体２１Ａの２世代目の複製を作成するものとする。記録媒体２１Ｃは、ＣＤ−ＲやＣＤ−ＲＷのような、記録可能な記録媒体である。
【００５１】
記録媒体２１Ｂから記録媒体２１Ｃに情報をコピーする際には、記録媒体２１Ｂが再生される。このとき、記録媒体２１Ｂのコピー管理情報がチェックされる。記録媒体２１Ｂはリードインや最内周などの情報から市販用の記録媒体であるから、市販用の記録媒体用のコピー管理情報ＳＣＭＳ−Ｎがチェックされる。市販用の記録媒体用のコピー管理情報ＳＣＭＳ−Ｎは（０，０）であり、コピーが許可されている。このため、記録媒体２１Ｂから記録媒体２１Ｃに情報がコピーできる。したがって、記録媒体２１Ｂの情報が記録媒体２１Ｃにコピーされ、記録媒体２１Ｃに、オリジナルの記録媒体２１Ａの２世代目の複製が作成される。
【００５２】
この２世代目の複製にあたる記録媒体２１Ｃには、記録媒体２１Ｂに記録されていた市販用の記録媒体用のコピー管理情報ＳＣＭＳ−Ｎおよびレンタル用の記録媒体用のコピー管理情報ＳＣＭＳ−Ｒがそのまま記録される。したがって、２世代目の複製の記録媒体２１Ｃには、市販用の記録媒体用のコピー管理情報ＳＣＭＳ−Ｎとして（０，０）が記録され、レンタル用の記録媒体用のコピー管理情報ＳＣＭＳ−Ｒとして（１，１）が記録される。
【００５３】
記録媒体の用途もコピーされ、リードインエリアや最内周など特定のエリアに記録される。
【００５４】
このように、オリジナルの記録媒体２１Ａに、市販用の記録媒体用のコピー管理情報ＳＣＭＳ−Ｎとして（０，０）が記録され、レンタル用の記録媒体用のコピー管理情報ＳＣＭＳ−Ｒとして（１，１）が記録されている場合には、複数世代に渡って、コピーフリーということになる。
【００５５】
次に、オリジナルの記録媒体２２Ａを複製する場合について説明する。市販用のオリジナルの記録媒体２２Ａは、ＣＤやＣＤ−ＲＯＭのような読み出し専用の記録媒体であり、このオリジナルの記録媒体２２Ａには、市販用の記録媒体用のコピー管理情報ＳＣＭＳ−Ｎとして（０，１）が記録され、レンタル用の記録媒体用のコピー管理情報ＳＣＭＳ−Ｒとして（１，１）が記録されている。また最内周に用途として、市販用途情報が記録されている。このような記録媒体２２Ａの情報を記録媒体２２Ｂにコピーし、記録媒体２２Ａの１世代目の複製を作成するものとする。記録媒体２２Ｂは、ＣＤ−ＲやＣＤ−ＲＷのような記録可能な記録媒体である。
【００５６】
記録媒体２２Ａから記録媒体２２Ｂに情報をコピーする際には、記録媒体２２Ａが再生され、このとき、コピー管理情報がチェックされる。オリジナルの記録媒体２２Ａは最内周の情報から市販用の記録媒体であるから、市販用の記録媒体用のコピー管理情報ＳＣＭＳ−Ｎがチェックされる。市販用の記録媒体用のコピー管理情報ＳＣＭＳ−Ｎは（０，１）であり、１世代コピーが許可されている。このため、記録媒体２２Ａから記録媒体２２Ｂに情報がコピーされる。したがって、記録媒体２２Ａの情報が記録媒体２２Ｂにコピーされ、記録媒体２２Ｂに、オリジナルの記録媒体２２Ａの１世代目の複製が作成される。
【００５７】
この１世代目の複製にあたる記録媒体２２Ｂには、オリジナルの記録媒体２２Ａに記録されていた市販用の記録媒体用のコピー管理情報ＳＣＭＳ−Ｎ（０，１）は書き換えられて、新たに市販用の記録媒体用のコピー管理情報ＳＣＭＳ−Ｎ（１，１）として記録される。レンタル用の記録媒体用のコピー管理情報ＳＣＭＳ−Ｒはそのまま記録される。したがって、１世代目の複製の記録媒体２２Ｂには、市販用の記録媒体用のコピー管理情報ＳＣＭＳ−Ｎとして（１，１）が記録され、レンタル用の記録媒体用のコピー管理情報ＳＣＭＳ−Ｒとして（１，１）が記録される。
【００５８】
記録媒体の用途もコピーされ、リードインエリアや最内周など特定のエリアに記録される。
【００５９】
それから、記録媒体２２Ｂの情報を記録媒体２２Ｃにコピーし、記録媒体２２Ａの２世代目の複製を作成するものとする。記録媒体２２Ｃは、ＣＤ−ＲやＣＤ−ＲＷのような記録可能な記録媒体である。
【００６０】
記録媒体２２Ｂから記録媒体２２Ｃに情報をコピーする際には、記録媒体２２Ｂが再生され、このとき、コピー管理情報がチェックされる。記録媒体２２Ｂはリードインや最内周の情報から市販用の記録媒体であるから、市販用記録媒体用のコピー管理情報ＳＣＭＳ−Ｎがチェックされる。市販用記録媒体用のコピー管理情報ＳＣＭＳ−Ｎは（１，１）であり、コピーが禁止されている。したがって、記録媒体２１Ｂの情報は、記録媒体２１Ｃにコピーできない。
【００６１】
このように、オリジナルの記録媒体２２Ａに、市販用の記録媒体用のコピー管理情報ＳＣＭＳ−Ｎとして（０，１）が記録され、レンタル用の記録媒体用のコピー管理情報ＳＣＭＳ−Ｒとして（１，１）が記録されている場合には、１世代のみコピー可ということになる。
【００６２】
次に、オリジナルの記録媒体２３Ａを複製する場合について説明する。オリジナルの記録媒体２３ＡはＣＤやＣＤ−ＲＯＭのような読み出し専用の記録媒体であり、このオリジナルの記録媒体２３Ａには、市販用の記録媒体用のコピー管理情報ＳＣＭＳ−Ｎとして（１，１）が記録され、レンタル用の記録媒体用のコピー管理情報ＳＣＭＳ−Ｒとして（１，１）が記録されている。また最内周に用途として、市販用途情報が記録されている。このような記録媒体２３Ａの情報を、記録媒体２３Ｂにコピーし、記録媒体２３Ａの１世代目の複製を作成するものとする。記録媒体２３Ｂは、ＣＤ−ＲやＣＤ−ＲＷのような記録可能な記録媒体である。
【００６３】
記録媒体２３Ａから記録媒体２３Ｂに情報をコピーする際には、記録媒体２３Ａが再生され、このとき、コピー管理情報がチェックされる。オリジナルの記録媒体２３Ａは最内周の情報から市販用の記録媒体であるから、市販用の記録媒体用のコピー管理情報ＳＣＭＳ−Ｎがチェックされる。市販用の記録媒体用のコピー管理情報ＳＣＭＳ−Ｎは（１，１）であり、コピーが禁止されている。このため、記録媒体２３Ａから記録媒体２３Ｂへの情報のコピーはできない。
【００６４】
このように、オリジナルの記録媒体２３Ａが市販用であって、市販用の記録媒体用のコピー管理情報ＳＣＭＳ−Ｎとして（１，１）が記録され、レンタル用の記録媒体用のコピー管理情報ＳＣＭＳ−Ｒとして（１，１）が記録されている場合には、コピー禁止ということになる。
【００６５】
ここで、ＳＣＭＳ−Ｒに（１，１）が記録されている事は以上の説明に関係がないので、オリジナルの記録媒体が市販用であればＳＣＭＳ−Ｒの内容は何でも良い。
【００６６】
以上の説明はオリジナルの記録媒体が市販用として説明したが、オリジナルの記録媒体がレンタル用としても、レンタル用の記録媒体用のコピー管理情報ＳＣＭＳ−Ｒに夫々、（０，０）、（０，１）、（１，１）が記録されていれば、レンタル用として同じようにコピー制御が可能である。
【００６７】
以上のように、記録媒体に、市販用の記録媒体用のコピー管理情報ＳＣＭＳ−Ｎと、レンタル用の記録媒体用のコピー管理情報ＳＣＭＳ−Ｒとを同時に記録しておき、再生される記録媒体が市販用の記録媒体なら、市販用の記録媒体用のコピー管理情報ＳＣＭＳ−Ｎに応じてコピー制御を行い、再生される記録媒体がレンタル用の記録媒体なら、レンタル用の記録媒体用のコピー管理情報ＳＣＭＳ−Ｒに応じてコピー制御が行われる。
【００６８】
この場合、コピーフリーと、１世代コピー可と、コピー禁止の制御が行える。
【００６９】
図４は、このような２つのコピー管理情報を使って記録媒体のコピー制御を行うようにしたデータ再生装置の一例である。
【００７０】
図４において、光ディスク１０１は、スピンドルモータ１０２によって、回転駆動される。光ディスク１０１からのデータを再生するための光ピックアップ１０３が設けられている。図示していないが、光ピックアップ１０３をディスク径方向に送る送りモータが設けられている。また、サーボ回路１１２は、スピンドルモータ１０２の回転、および光ピックアップのフオーカシングおよびトラッキングを制御する。
【００７１】
光ディスク１０１に記録されているコンテンツのデータには、ウォータマークによる付加情報が重畳されている。ウォータマークとしては、スペクトラム拡散を用いて付加情報を入れる方法、信号の下位ビットや圧縮時の高次係数に付加情報を入れる方法、マスキング効果を利用して付加情報を入れる方法等を用いることができる。ウォータマークによる付加情報中には、市販用の記録媒体用のコピー管理情報ＳＣＭＳ−Ｎと、レンタル用の記録媒体用のコピー管理情報ＳＣＭＳ−Ｒとからなるコピー管理情報が含まれている。
【００７２】
また、光ディスク１０１には、コンテンツのデータと共に、サブコードのデータが記録できる。このサブコードのデータ中には、市販用の記録媒体用のコピー管理情報ＳＣＭＳ−Ｎと、レンタル用の記録媒体用のコピー管理情報ＳＣＭＳ−Ｒとからなるコピー管理情報が含まれている。このウォータマークによる付加情報として記録されているコピー管理情報と、サブコードのデータ中のコピー管理情報とは、同一のものとされている。
【００７３】
光ディスク１０１としては、ＣＤやＣＤ−ＲＯＭ、ＣＤ２−ＲＯＭのような再生専用のものと、ＣＤ−ＲやＣＤ−ＲＷ、ＣＤ２−ＲやＣＤ２−ＲＷのような記録可能なものとがある。そして、光ディスク１０１には、最内周の小容量追加記録エリアにディスクの用途の情報が含まれているものとする。
【００７４】
光ディスク１０１の再生信号は、光ピックアップ１０３から再生アンプ１０４に供給される。再生アンプ１０４の出力が復調回路１０５に供給される。復調回路１０５で、データの復調処理がなされる。復調回路１０５の出力がエラー訂正回路１０６に供給されると共に、サブコードデコーダ１０７に供給される。
【００７５】
また、再生アンプ１０４の出力が最内周復調回路１１３に供給される。最内周復調回路１１３の出力が用途判別回路１１５に供給される。用途判別回路１１５は、復調回路１１３の出力により、再生されているディスクの用途を判別している。
【００７６】
この場合、ディスク最内周の小容量追加記録エリアへの記録はデータ記録エリアの変調とは異なったものとしているが、リードインエリアやＴＯＣに記録された場合や、データエリアと同じ変調を用いた場合は、エラー訂正回路１０６の出力または復調回路１０５の出力が用途判別回路の入力とされる。
【００７７】
エラー訂正回路１０６は、エラー訂正処理を行っている。エラー訂正回路１０６の出力は、スイッチ回路１０９に供給されると共に、ウォータマーク検出回路１１０に供給される。スイッチ回路１０９を介された出力は、スイッチ回路１１８を介して、データの出力端子１２１から出力されると共に、Ｄ／Ａコンバータ１１９に供給される。Ｄ／Ａコンバータ１１９の出力がアナログ信号の出力端子１２０から取り出される。
【００７８】
エラー訂正回路１０６は、エラー訂正処理を行っており、エラー訂正回路１０６により、光ディスク１０１に記録されていたコンテンツのデータが復号される。
【００７９】
また、この光ディスク１０１から再生されるコンテンツのデータ中には、ウォータマークによる付加情報が重畳されている。エラー訂正回路１０６の出力はウォータマーク検出回路１１０に供給され、ウォータマーク検出回路１１０により、コンテンツのデータ中にウォータマークにより付加情報が検出される。このウォータマークによる付加情報は、コピー管理情報抽出回路１１１に供給される。
【００８０】
また、光ディスク１０１から再生されるデータ中にサブコードデータが含まれており、このサブコードデータ中には、コピー管理情報ＳＣＭＳ−ＮおよびＳＣＭＳ−Ｒが含まれている。復調回路１０５の出力はサブコードデコーダ１０７に供給され、サブコードデコーダ１０７で、サブコードデータが復号される。このサブコードデコーダ１０７の出力がコピー管理情報抽出回路１０８に供給される。
【００８１】
コピー管理情報抽出回路１１１およびコピー管理情報抽出回路１０８には、用途判別回路１１５から、用途判別信号が供給される。前述したように、用途判別回路１１５では、ディスク最内周の小容量追加記録エリアの信号から、光ディスク１０１が市販用のディスクか、レンタル用のディスクかが判断されており、用途判別回路１１５からは、判別された用途を識別するための用途判別信号が出力されている。
【００８２】
前述したメモリーカード（外部記録媒体）を用いて用途を送る場合は、外部メモリーリーダー１２２から読まれた情報は用途判別回路１１５に送られ、用途判別回路１１５からは、判別された用途を識別するための用途判別信号が出力されている。
【００８３】
コピー管理情報抽出回路１１１で、用途判別回路１１５からの用途判別信号に基づいて、ウォータマークの情報中に含まれているコピー管理情報ＳＣＭＳ−ＮおよびＳＣＭＳ−Ｒのうち、用途に対応するコピー管理情報が選択される。つまり、用途判別回路１１５で、光ディスク１０１が市販用のディスクであると判断されたときには、ウォータマークの付加情報中に含まれているコピー管理情報として、市販用の記録媒体用のコピー管理情報ＳＣＭＳ−Ｎが出力され、光ディスク１０１がレンタル用のディスクであると判断されたときには、ウォータマークの情報中に含まれているコピー管理情報として、レンタル用の記録媒体用のコピー管理情報ＳＣＭＳ−Ｒが出力される。
【００８４】
また、コピー管理情報抽出回路１０８で、用途判別回路１０５の出力に基づいて、サブコード中に含まれているコピー管理情報ＳＣＭＳ−ＮおよびＳＣＭＳ−Ｒのうち、用途に対応するコピー管理情報が選択される。つまり、用途判別回路１１５で、光ディスク１０１が市販用のディスクであると判断されたときには、サブコード中のコピー管理情報として、市販用の記録媒体用のコピー管理情報ＳＣＭＳ−Ｎが出力され、光ディスク１０１がレンタル用のディスクであると判断されたときには、サブコード中のコピー管理情報として、レンタル用の記録媒体用のコピー管理情報ＳＣＭＳ−Ｒが出力される。
【００８５】
コピー管理情報抽出回路１１１の出力およびコピー管理情報抽出回路１０８の出力が照合回路１１６に供給される。照合回路１１６で、コピー管理情報抽出回路１０８からのサブコード中のコピー管理情報ＳＣＭＳ−ＮまたはＳＣＭＳ−Ｒと、コピー管理情報抽出回路１１１からのウォータマークの情報中のコピー管理情報ＳＣＭＳ−ＮまたはＳＣＭＳ−Ｒとが照合される。
【００８６】
通常、サブコード中のコピー管理情報ＳＣＭＳ−ＮおよびＳＣＭＳ−Ｒと、ウォータマークの付加情報中のコピー管理情報ＳＣＭＳ−ＮおよびＳＣＭＳ−Ｒは同じものが入っているので、コピー管理情報抽出回路１０８からのサブコード中のコピー管理情報ＳＣＭＳ−ＮまたはＳＣＭＳ−Ｒと、コピー管理情報抽出回路１１１からのウォータマークの付加情報中のコピー管理情報ＳＣＭＳ−ＮまたはＳＣＭＳ−Ｒとは一致しているはずである。一致している場合には、スイッチ回路１０９がオンされる。
【００８７】
照合回路１１６の出力が判断回路１１７に供給される。判断回路１１７は、コピー管理情報ＳＣＭＳ−ＮまたはＳＣＭＳ−Ｒに基づいて、スイッチ回路１１８を制御するものである。
【００８８】
すなわち、判断回路１１７は、コピー管理情報ＳＣＭＳ−ＮまたはＳＣＭＳ−Ｒが（０，０）または（０，１）なら、コピーは許可または１世代許可なので（図７参照）、スイッチ回路１１８がオンされる。コピー管理情報ＳＣＭＳ−ＮまたはＳＣＭＳ−Ｒが（１，１）なら、コピーは禁止なので、スイッチ回路１１８がオフされる。
【００８９】
このように、コピー管理情報抽出回路１０８からのサブコード中のコピー管理情報ＳＣＭＳ−ＮまたはＳＣＭＳ−Ｒと、コピー管理情報抽出回路１１１からのウォータマークの情報中のコピー管理情報ＳＣＭＳ−ＮまたはＳＣＭＳ−Ｒとが一致しているときには、スイッチ回路１０９がオンされる。
【００９０】
そして、記録媒体の用途によりコピー管理情報ＳＣＭＳ−ＮまたはＳＣＭＳ−Ｒが選択され、選択されたコピー管理情報が（０，０）または（０，１）なら、スイッチ回路１１８がオンされる。スイッチ回路１０９がオンで、スイッチ回路１１８がオンの場合には、エラー訂正回路１０６によりデコードされた光ディスク１０１の出力は、スイッチ回路１０９、スイッチ回路１１１を介して出力端子１２１から出力される。このため、データ出力端子１２１に記録装置を接続すれば、データのコピーが可能になる。
【００９１】
コピー管理情報ＳＣＭＳ−ＮまたはＳＣＭＳ−Ｒが（１，１）なら、コピー禁止なので（図７参照）、スイッチ回路１１８がオフされる。スイッチ回路１１８がオフの場合には、エラー訂正回路１０６によりデコードされた光ディスク１０１の出力は、出力端子１２１から出力されない。このため、データ出力端子１２１に記録装置を接続しても、データのコピーは行えない。
【００９２】
このように、光ディスク１０１のサブコードおよびウォータマーク中にコピー管理情報ＳＣＭＳ−ＮおよびＳＣＭＳ−Ｒを記録しておくと、このコピー管理情報ＳＣＭＳ−ＮおよびＳＣＭＳ−Ｒによりスイッチ回路１１８をオン／オフすることにより、不正コピーが防止できる。
【００９３】
図５は、図４に示した再生装置１００に、記録装置１５０を接続して、ディスクの複製を試みたときの動作を説明するものである。
【００９４】
例えば、再生装置１００に、市販用の光ディスク１０１Ａを装着したとする。この光ディスク１０１Ａのサブコードおよびウォータマーク情報中には、市販用の記録媒体用のコピー管理情報ＳＣＭＳ−Ｎとして（０，１）が記録され、レンタル用の記録媒体用のコピー管理情報ＳＣＭＳ−Ｒとして（１，１）が記録されているとする。
【００９５】
このような光ディスク１０１Ａが再生装置１００で再生されると、用途判別回路１１５では、ディスク最内周の小容量追加記録エリアの信号から、市販用のディスクであると判断される。
【００９６】
サブコードデコーダ１０７では、光ディスク１０１Ａの再生データのサブコード中に記録されているコピー管理情報ＳＣＭＳ−ＮおよびＳＣＭＳ−Ｒがデコードされる。このサブコードデータがコピー管理情報抽出回路１０８に供給される。用途判別回路１１５でディスク１０１は市販用のディスクであると判断されるので、コピー管理情報抽出回路１０８からは、市販用の記録媒体用のコピー管理情報ＳＣＭＳ−Ｎが選択されて出力される。
【００９７】
ウォータマーク検出回路１１０では、光ディスク１０１Ａから再生されるコンテンツデータ中にウォータマークとして重畳されている付加情報として記録されているコピー管理情報ＳＣＭＳ−ＮおよびＳＣＭＳ−Ｒがデコードされる。このウォータマークとして付加されている付加情報がコピー管理情報抽出回路１１１に供給される。ディスク１０１Ａは、市販用のディスクなので、コピー管理情報抽出回路１１１では、コピー管理情報ＳＣＭＳ−Ｎが選択される。
【００９８】
コピー管理情報抽出回路１０８からのコピー管理情報ＳＣＭＳ−Ｎと、コピー管理情報抽出回路１１１からのコピー管理情報ＳＣＭＳ−Ｎとが一致していれば、スイッチ回路１０９がオンされる。そして、このとき、コピー管理情報抽出回路１０８で選択されたサブコード中のコピー管理情報およびコピー情報抽出回路１１１で抽出されたウォータマーク中のコピー管理情報ＳＣＭＳ−Ｎに応じて、スイッチ回路１１８が制御される。サブコード中のコピー管理情報およびウォータマーク中のコピー管理情報ＳＣＭＳ−Ｎは共に（０，１）なので、判断回路１１７の出力により、スイッチ１１８がオンされる。
【００９９】
したがって、光ディスク１０１Ａの再生情報は、復調回路１０５で復調され、エラー訂正回路１０６でエラー訂正された後、スイッチ回路１０９、スイッチ回路１１８を介して、出力端子１２１から出力され、出力端子１２１からのデータは、記録装置１５０の入力端子１５１に入力され、記録装置１５０に装着された光ディスク１０１Ｂに記録される。
【０１００】
なお、このとき、複製された光ディスク１０１Ｂには、コピー管理情報ＳＣＭＳ−Ｎとして、オリジナルの光ディスク１０１Ａのコピー管理情報（０，１）がコピーを行う事によって変更された新しいコピー管理情報（１，１）が記録され、市販用の記録媒体用のコピー管理情報ＳＣＭＳ−Ｎが（１，１）、レンタル用の記録媒体用のコピー管理情報ＳＣＭＳ−Ｒが（１，１）となる。
【０１０１】
記録媒体の用途もコピーされ、リードインエリアやＴＯＣなど特定のエリアに記録される。
【０１０２】
次に、図６に示すように、光ディスク１０１Ａのコンテンツのデータが複製された光ディスク１０１Ｂを再生装置１００に装着し、記録装置１５０に、記録可能な光ディスク１０１Ｃを装着して、更にその複製を試みたとする。
【０１０３】
この場合、このような光ディスク１０１Ｂが再生されると、用途判別回路１１５では、市販用のディスクであると判断される。
【０１０４】
サブコードデコーダ１０７からは、サブコード中に記録されているコピー管理情報ＳＣＭＳ−ＮおよびＳＣＭＳ−Ｒがデコードされ、ディスク１０１Ｂは、市販用のディスクなので、コピー管理情報抽出回路１０８からは、コピー管理情報ＳＣＭＳ−Ｎが選択されて出力される。
【０１０５】
ウォータマーク検出回路１１０からは、ウォータマーク中に含まれているコピー管理情報ＳＣＭＳ−ＮおよびＳＣＭＳ−Ｒがデコードされ、ディスク１０１Ｂは、市販用のディスクなので、コピー管理情報抽出回路１１１からは、コピー管理情報ＳＣＭＳ−Ｎが選択されて出力される。
【０１０６】
コピー管理情報抽出回路１０８からのコピー管理情報ＳＣＭＳ−Ｎと、コピー管理情報抽出回路１１１からのコピー管理情報ＳＣＭＳ−Ｎとが一致していれば、スイッチ回路１０９がオンされる。そして、このとき、コピー管理情報抽出回路１０８で選択されたサブコード中のコピー管理情報およびコピー情報抽出回路１１１で抽出されたウォータマーク中のコピー管理情報に応じて、スイッチ回路１１８が切り換えられる。サブコード中のコピー管理情報およびウォータマーク中のコピー管理情報は共にＳＣＭＳ−Ｎが（１，１）なので、判断回路１１７の出力により、スイッチ１１８がオフされる。
【０１０７】
したがって、出力端子１２１からはデータは出力されず、記録装置１５０の光ディスク１０１Ｃには、光ディスク１０１Ｂの出力データを記録できない。このように、オリジナルの市販用の記録媒体１０１Ａの市販用の記録媒体用のコピー管理情報が（０，１）で、レンタル用の記録媒体用のコピー管理情報が（１，１）のときには、１世代のみコピー可となる。
【０１０８】
なお、上述の例では、サブコードとウォータマークの双方に情報としてコピー管理情報を記録している。これは、コピー管理を強力にすると共に、コピー管理の信頼性を向上させるためである。
【０１０９】
勿論、サブコードまたはウォータマークのどちらか一方に、コピー管理情報を記録しておくようにしても良い。また、サブコードとウォータマークの双方にコピー管理情報を記録しておき、サブコードまたはウォータマークの情報のどちらか一方を使って、コピー管理を行うようにしても良い。
【０１１０】
また、サブコードやウォータマーク以外の所に、コピー管理情報を記録しておくようにしても良い。例えば、ＴＯＣ（Table Of Contents）や、リードイン等、記録媒体の所定のエリアにコピー管理情報を記録するようにしても良い。また、コンテンツのヘッダにコピー管理情報を記録するようにしても良い。
【０１１１】
なお、上述までの例では、オリジナルの記録媒体は、読み出し専用の記録媒体であることを前提としているが、オリジナルの記録媒体が常に読み出し専用の記録媒体であるわけではない。オリジナルの記録媒体が記録可能の記録媒体で提供される場合もある。例えば、ユーザが自身が作成した記録媒体を配布したような場合や、自費出版のような少量生産の場合には、オリジナルの記録媒体が記録可能な記録媒体となる。また、ダウンロードしたコンテンツがオリジナルの場合にも、オリジナルの記録媒体は記録可能な記録媒体となる。
【０１１２】
オリジナルの記録媒体が記録可能な記録媒体である場合にも、前述と同様に、市販用の記録媒体用のコピー管理情報ＳＣＭＳ−Ｎと、レンタル用の記録媒体用のコピー管理情報ＳＣＭＳ−Ｒとの２つのコピー管理情報が使用される。ディスク最内周やリードインエリア、ＴＯＣ等への記録媒体の用途の書き込みも同様である。
【０１１３】
図７は、市販用の記録媒体用のコピー管理情報ＳＣＭＳ−Ｎおよびレンタル用の記録媒体用のコピー管理情報ＳＣＭＳ−Ｒの状態と、コピー制御についてまとめたものである。この例では、ビットｂ０〜ｂ３のうち、ビットｂ０およびｂ１が市販用の記録媒体用のコピー管理情報ＳＣＭＳ−Ｎを示し、ビットｂ２およびｂ３がレンタル用の記録媒体用のコピー管理情報ＳＣＭＳ−Ｒを示している。
【０１１４】
なお、図２の説明では、市販用の記録媒体用のコピー管理情報ＳＣＭＳ−Ｎと、レンタル用の記録媒体用のコピー管理情報ＳＣＭＳ−Ｒとを分けて説明しているが、図７では、コピー管理情報を４ビットとして扱い、この４ビットのうちの上位ビットと下位ビットとで、市販用の記録媒体用のコピー管理情報ＳＣＭＳ−Ｎと、レンタル用の記録媒体用のコピー管理情報ＳＣＭＳ−Ｒとが表現されている。図７は、コピー管理情報ＳＣＭＳ−ＮおよびＳＣＭＳ−Ｒの定義を示すもので、これは、通常のＳＣＭＳと基本的に同じである。
【０１１５】
上述の実施形態では、複数の用途に応じたコピー管理情報を用意しておき、これら複数の用途に応じたコピー管理情報を１つの記録媒体に同時に記録しておき、記録媒体を再生するときに、その記録媒体の用途を判断して、対応する用途のコピー管理情報を選び、これに従ってコピー管理を行うようにしている。
【０１１６】
【発明の効果】
この発明に依れば、市販用の記録媒体用のコピー管理情報ＳＣＭＳ−Ｎと、レンタル用の記録媒体用のコピー管理情報ＳＣＭＳ−Ｒとを同時に記録しておき、再生される記録媒体が市販用の記録媒体なら、市販用の記録媒体用のコピー管理情報ＳＣＭＳ−Ｎに応じてコピー制御が行われ、再生される記録媒体がレンタル用の記録媒体なら、レンタル用の記録媒体用のコピー管理情報ＳＣＭＳ−Ｒに応じてコピー制御が行われる。これにより、複数世代に渡るコピー制御を行うことができる。
【０１１７】
また、この発明に依れば、再生専用の記録媒体であっても、スタンパにより大量生産されるまでは複数のコピー管理情報を記録しておき、工場から出荷する時や実際に販売される時、レンタルされる時など用途に応じて、最内周の追加記録エリアに用途を書き込む事により用途に応じたコピー管理が可能となる。
【０１１８】
また、この発明に依れば、記録可能な記録媒体に、大量生産された再生専用の記録媒体からコピーを作製し、その最内周に用途を書き込む事により特定の用途に適したコピー管理が可能となる。
【図面の簡単な説明】
【図１】この発明が適用された記録装置の一例の構成を示すブロック図である。
【図２】この発明が適用された記録媒体における、用途の識別案の一例の説明に用いる略線図である。
【図３】この発明が適用された記録媒体を使ったコピー制御の説明に用いる略線図である。
【図４】この発明が適用された再生装置の一例の構成を示すブロック図である。
【図５】この発明が適用された再生装置の一例の説明に用いるブロック図である。
【図６】この発明が適用された再生装置の一例の説明に用いるブロック図である。
【図７】コピー管理情報の説明に用いる略線図である。
【図８】従来のコピー管理情報の説明に用いる略線図である。
【符号の説明】
２１Ａ、２２Ａ、２３Ａ・・・オリジナルの記録媒体、２１Ｂ、２２Ｂ、２３Ｂ・・・１世代目の複製の記録媒体、２１Ｃ、２２Ｃ・・・２世代目の複製の記録媒体
【図１】
0004501318.tif 000002
【図２】
0004501318.tif 000003
【図３】
0004501318.tif 000004
【図４】
0004501318.tif 000005
【図５】
0004501318.tif 000006
【図６】
0004501318.tif 000007
【図７】
0004501318.tif 000008
【図８】
0004501318.tif 000009